(57)【要約】
【課題】  フレキシブル回路基板を挿入しやすく、厚みの小さいコネクタの提供。
【解決手段】  座体５０の上面に凹部５１を形成し、凹部５１の両側に段部５２を形成し、凹部５１に複数の嵌合溝５３を形成し、嵌合溝５３の底部に係止部を設け、端子７０の上アーム７１前端部と下アーム７２前端部の間に、フレキシブル回路基板９０が挿入される挿入部を形成し、下アーム７２と嵌合アームの間に形成した嵌合空間と係止部を係合して、端子７０を嵌合溝５３内に設置し、座体５０の後端部を支点として開閉する上蓋体６０を閉じた時、その両側部が段部５２の上面に載置され、上蓋体６０には、閉鎖時に端子７０と係合可能な複数のスリット６４を形成する。
【選択図】          図９
0003101457.tif 000002
【実用新案登録請求の範囲】
【請求項１】
座体と、上蓋体と、複数の端子とを備え、前記座体の上面中間部に凹部を形成すると共に、該凹部の両側に、凹部の底面よりもやや高く、座体の両側壁より低い段部を形成し、前記凹部の底面に前後方向に沿う複数の嵌合溝を形成すると共に、該嵌合溝の底部に係止部を設け、前記端子は、互いに平行な上アーム、下アーム及び嵌合アームを有し、前記上アーム前端部と下アーム前端部との間に、フレキシブル回路基板の端部が挿入される挿入部を形成し、前記下アームと嵌合アームとの間に嵌合空間を形成し、前記嵌合空間と前記座体の係止部とを係合して、前記端子を前記座体の嵌合溝内に設置し、前記上蓋体は、前記座体の後端部を支点として開閉自在に設けられ、前記上蓋体を閉じた時、その両側部が前記段部の上面に載置され、前記上蓋体の前記座体の嵌合溝と対応する位置に、上蓋体閉鎖時に前記端子と係合可能な複数のスリットを形成したことを特徴とするコネクタ。
【請求項２】
前記上蓋体の後端部を後方に行くほど下に向くよう傾斜して、上蓋体の最大開放角度を規制する傾斜部分を形成し、前記上蓋体のスリットの後端部に、前記端子の上アーム後端部と下アーム後端部との間に形成された上蓋体支持部に係合される突起を形成した請求項１に記載のコネクタ。
【請求項３】
前記端子の上アーム後端部を下方に湾曲して、前記上蓋体支持部の入口を狭窄した請求項２に記載のコネクタ。
【請求項４】
前記突起は断面略楕円形であり、前記上蓋体を閉じたとき、前記上アーム後端部を押し上げる請求項２又は３に記載のコネクタ。
【請求項５】
前記座体の係止部の後端に、前記端子の嵌合空間と係合する後係止部を設け、前記係止部の前端に、他の端子と係合する前係止部を設けた請求項１乃至４のいずれかに記載のコネクタ。
【請求項６】
前記係止部の上面の長手方向中央部に陥没部を形成し、該陥没部の上方に前記下アームの前端部を張り出した請求項１乃至５のいずれかに記載のコネクタ。
【請求項７】
前記上蓋体の前端部を前記座体の前端よりも長く延ばし、前記上蓋体の両側面前端部を外側方へ張り出し、更に下方へ屈曲して、開閉時の力点となる支持部を形成した請求項１乃至６のいずれかに記載のコネクタ。
【考案の詳細な説明】
【技術分野】
【０００１】
本考案は、フレキシブル回路基板用のコネクタに関する。
【背景技術】
【０００２】
一般的なフレキシブル回路基板用のコネクタ１０は、図１〜図３に示すように、細長い絶縁本体２０と、一方の長辺側が開口した上蓋３０とを、長辺と平行な軸を中心に回動可能に枢着して成る。
上蓋３０の一方の長辺両端部にはそれぞれ軸板３２が突設され、これら軸板３２の先端部が絶縁本体２０の両側壁２４にスライド及び回動可能に接合されて、上蓋３０が絶縁本体２０の両端間に回動可能に架設されている。
絶縁本体２０の内部には多数の接続端子２５が設置され、上蓋３０を引き出してから上方へ回動させると、絶縁本体２０の接続端子２５の基板接続部分が露出する。
そして、フレキシブル回路基板９０の端部を上蓋３０と絶縁本体２０の接続端子２５との間に差し込んで、上蓋３０を定位置に戻すと、フレキシブル回路基板９０は、接続端子２５とが電気的に接続された状態で固定される。
【０００３】
ところが、このコネクタ１０では、絶縁本体２０は上下左右の壁を備えた中空構造となっており、接続端子２５がその中空部に設置されているので、上蓋３０を引き出して回動しても、絶縁本体２０の内部は大きく開放されず、しかも、中空部の開口上方に上蓋３０が位置することになる。
このため、フレキシブル回路基板９０を絶縁本体２０の内部に挿入する際不便であり、フレキシブル回路基板９０と接続端子２５とを接続しにくかった。
また、絶縁本体２０によって完全に接続端子２５が隠蔽されているため、絶縁本体２０の厚みが増し、コネクタ１０全体の厚みが大きいという欠点がある。
【考案の開示】
【考案が解決しようとする課題】
【０００４】
本考案が解決しようとする課題は、フレキシブル回路基板を挿入しやすく、厚みが小さいコネクタを提供することにある。
【課題を解決するための手段】
【０００５】
本考案のコネクタは、座体と、上蓋体と、複数の端子とを備え、前記座体の上面中間部に凹部を形成すると共に、該凹部の両側に、凹部の底面よりもやや高く、座体の両側壁より低い段部を形成し、前記凹部の底面に前後方向に沿う複数の嵌合溝を形成すると共に、該嵌合溝の底部に係止部を設け、前記端子は、互いに平行な上アーム、下アーム及び嵌合アームを有し、前記上アーム前端部と下アーム前端部との間に、フレキシブル回路基板の端部が挿入される挿入部を形成し、前記下アームと嵌合アームとの間に嵌合空間を形成し、前記嵌合空間と前記座体の係止部とを係合して、前記端子を前記座体の嵌合溝内に設置し、前記上蓋体は、前記座体の後端部を支点として開閉自在に設けられ、前記上蓋体を閉じた時、その両側部が前記段部の上面に載置され、前記上蓋体の前記座体の嵌合溝と対応する位置に、上蓋体閉鎖時に前記端子と係合可能な複数のスリットを形成する。
【０００６】
前記上蓋体の後端部を後方に行くほど下に向くよう傾斜して、上蓋体の最大開放角度を規制する傾斜部分を形成し、前記上蓋体のスリットの後端部に、前記端子の上アーム後端部と下アーム後端部との間に形成された上蓋体支持部に係合される突起を形成しても良い。
この時、端子の上アーム後端部を下方に湾曲して、前記上蓋体支持部の入口を狭窄するとよい。
前記突起を断面略楕円形とし、前記上蓋体を閉じたとき、前記上アーム後端部を押し上げるようにもできる。
【０００７】
前記座体の係止部の後端に、前記端子の嵌合空間と係合する後係止部を設け、前記係止部の前端に、他の端子と係合する前係止部を設けることがある。
前記係止部の上面の長手方向中央部に陥没部を形成し、該陥没部の上方に前記下アームの前端部を張り出しても良い。
前記上蓋体の前端部を前記座体の前端よりも長く延ばし、前記上蓋体の両側面前端部を外側方へ張り出し、更に下方へ屈曲して、開閉時の力点となる支持部を形成することができる。
【考案の効果】
【０００８】
本考案によれば、上蓋体を開けると端子が完全に露出されるので、フレキシブル回路基板を簡単に端子に接続することができる。
また、上蓋体を閉じると、上蓋体のスリットの端子が係合して、端子の厚み分を逃げることができるため、コネクタ自体の厚みを非常に薄くすることが可能である。
【考案を実施するための最良の形態】
【０００９】
以下、本考案の実施例を図面に基づいて詳細に説明する。
図４乃至図６に示すように、本考案のコネクタ４０は、絶縁材を素材とする座体５０及び上蓋体６０と、複数の端子７０とから成る。
座体５０の上面中央部には、フレキシブル回路基板９０よりやや幅広い凹部５１を形成し、凹部５１の両側に連続して、凹部５１の底面よりやや高く、且つ、両側壁より低い段部５２を互いに平行に形成する。凹部５１の底面上方において、段部５２の側面間に形成される下部空間には、フレキシブル回路基板９０が設置され、段部５２の上方において、座体５０の両側壁間に形成される上部空間には、上蓋体６０が設置されるようになっている。
【００１０】
座体５０の後端部両側には、上蓋体６０を開閉自在に支持する支持片５５をそれぞれ形成する。
また、凹部５１には、座体５０の前後端間に亘って、端子７０を設置するための複数の嵌合溝５３を段部５２と平行に形成し、嵌合溝５３の底部に端子７０と係合する係止部５４を設ける。
係止部５４の上面の長手方向中央部には陥没部５４３を形成し、係止部５４の前端上部を前方に突出して前係止部５４２を形成すると共に、後端上部を後方へ突出して後係止部５４１を形成する。
【００１１】
端子７０は、互いに略平行に配置された上アーム７１、下アーム７２及び嵌合アーム７３を有する。
上アーム７１と下アーム７２とはその後部寄りに於いて連結片７８で連結され、上アーム７１前端部と下アーム７２前端部との間に挿入部７５が形成され、上アーム７１後端部と下アーム７２後端部との間に上蓋体支持部７６が形成される。
また、上アーム７１の後端には、下方に向けて湾曲した湾曲部７４が形成され、この湾曲部７４が上蓋体支持部７６の入口部分を狭窄している。
【００１２】
嵌合アーム７３は下アーム７２の後端から前方に向かって連続して形成され、下アーム７２と嵌合アーム７３との間に、前方に開口する嵌合空間７７が形成される。
そして、図７に示すように、嵌合空間７７と座体５０の後係止部５４１を係合して、端子７０を座体５０の嵌合溝５３内に設置する。
すると、上アーム７１と下アーム７２との間に形成された挿入部７５が座体５０の凹部５１内に配置され、図９に示すように、挿入部７５へフレキシブル回路基板９０の端部を前方から挿入して、端子７０とフレキシブル回路基板９０とを電気的に接続することができる。
なお、端子７０の下アーム７２はある程度の可撓性を有すると共に、その前端部が座体５０の係止部５４に形成された陥没部５４３上に張り出しているので、下アーム７２の前端部を変形させて、簡単にフレキシブル回路基板９０を挿入部７５へ差し込むことができる。
【００１３】
図４及び図５に示すように、上蓋体６０は、座体５０の両側壁の内面間の距離よりもやや狭く、且つ、段部５２の両側面間の距離よりも幅広い板体６１を有し、上蓋体６０を閉じると、板体６１の両側部が段部５２の上面に載置されて、座体５０の凹部５１の上方を閉鎖するようになっている。
また、板体６１の両側面後端部には、側方へ張り出す円柱状の軸部６３を設ける。これらの軸部６３は座体５０の支持片５５上に回動自在に設置されて、上蓋体６０の開閉の中心となっている。
【００１４】
上蓋体６０の前端部は座体５０の前端よりも長く延び、板体６１の両側前端部には、外側方へ張り出し、さらに下方へ屈曲した支持部６２をそれぞれ形成する。支持部６２は、上蓋体６０を開閉する際の力点となり、この力点と支点（軸部６３）との距離が長くなって、上蓋体６０を容易に開閉することができる。
図６乃至図８に示すように、板体６１の後端部には、後方に行くほど下に向くよう傾斜した傾斜部分を形成し、上蓋体６０を開けたときに、傾斜部分が水平状態となって、その上面が座体５０の凹部５１の上面後部に重合され、最大開放角度が制限されるようになっている。
【００１５】
板体６１には、後端から中間部に至る複数のスリット６４を、座体５０の嵌合溝５３と対応する位置に形成する。従って、上蓋体６０を閉じて、段部５２の上面に載置したときには、嵌合溝５３に設置された端子７０の上アーム７１がこのスリット６４に係合し、コネクタ１０の厚みが非常に薄くなる。
スリット６４の後端部には、断面が上蓋体６０後端部の傾斜部分に沿う方向に長い略楕円形の突起６５を形成し、この突起６５を端子７０の上蓋体支持部７６に係合する。上蓋体支持部７６の入口部は湾曲部７４によって狭窄されているので、突起６５は脱出しにくく、上蓋体６０が安定して支持される。
【００１６】
図８に示すように、上蓋体６０を完全に開けると、突起６５がほぼ水平に配置されるが、図７に示すように、上蓋体６０を閉じると、突起６５が回転して端子７０の湾曲部７４を下から押し上げ、この結果、上アーム７１が連結片７８を中心にやや回転して、上アーム７１の前端部が下方向に押圧される。
コネクタ４０とフレキシブル回路基板９０とを接続するには、図９に示すように、上蓋体６０を開けて、フレキシブル回路基板９０の端部を端子７０の挿入部７５に差し込む。この時、上アーム７１の前端部が下方へ押圧されていないので、フレキシブル回路基板９０の端部を座体５０の段部５２上面に沿ってスライドさせることにより、簡単に挿入部７５へ挿入できる。
図１０に示すように、上蓋体６０を閉じて板体６１の両側部を段部５２の上面に載置すると、端子の湾曲部７４が突起６５の押圧を受けて、上アーム７１の前端部が押し下げられ、フレキシブル回路基板９０の端部を強固に把持して脱落を防ぎ、端子７０とフレキシブル回路基板９０とを確実に接続する。
【００１７】
図１１及び図１２は、本考案の他の実施例を示す。
座体５０の嵌合溝５３内に、他の端子８０を端子７０と逆向きにして設置する。他の端子８０には、後方に開口した嵌合空間８２を形成し、この嵌合空間８２に座体５０の前係止部５４２を係合して、他の端子８０を前方から嵌合溝５３内に差し込む。
なお、座体５０の嵌合溝５３に端子７０のみを設置する場合には、前係止部５４２を省略することもできる。
【図面の簡単な説明】
【００１８】
【図１】従来のコネクタの斜視図。
【図２】従来のコネクタの上蓋を開けた状態を示す斜視図。
【図３】従来のコネクタのフレキシブル回路基板を接続した状態を示す斜視図。
【図４】本考案の実施例を示すコネクタの斜視図。
【図５】本考案の実施例を示すコネクタの分解斜視図。
【図６】本考案の実施例を示すコネクタの分解断面図。
【図７】本考案の実施例を示すコネクタの断面図。
【図８】本考案の実施例を示すコネクタの上蓋体を開けた状態における断面図。
【図９】本考案の実施例に係るコネクタとフレキシブル回路基板の接続途中の斜視図。
【図１０】本考案の実施例を示すコネクタのフレキシブル回路基板を接続した状態における斜視図。
【図１１】本考案の他の実施例を示すコネクタの分解斜視図。
【図１２】本考案の他の実施例を示すコネクタの断面図。
【符号の説明】
【００１９】
４０  コネクタ
５０  座体
５１  凹部
５２  段部
５３  嵌合溝
５４  係止部
５４１  後係止部
５４２  前係止部
５４３  陥没部
５５  支持片
６０  上蓋体
６１  板体
６２  支持部
６３  軸部
６４  スリット
６５  突起
７０  端子
７１  上アーム
７２  下アーム
７３  嵌合アーム
７４  湾曲部
７５  挿入部
７６  上蓋体支持部
７７  嵌合空間
７８  連結片
８０  他の端子
８２  嵌合空間
９０  フレキシブル回路基板
【図１】
0003101457.tif 000003
【図２】
0003101457.tif 000004
【図３】
0003101457.tif 000005
【図４】
0003101457.tif 000006
【図５】
0003101457.tif 000007
【図６】
0003101457.tif 000008
【図７】
0003101457.tif 000009
【図８】
0003101457.tif 000010
【図９】
0003101457.tif 000011
【図１０】
0003101457.tif 000012
【図１１】
0003101457.tif 000013
【図１２】
0003101457.tif 000014